(57)【要約】【課題】小型かつ安価に検査が可能な磁気検出装置を提案可能とする。【解決手段】アモルファスワイヤから成る感磁体１０ａ〜１０ｊによって構成され、磁気を検出する複数個の磁気インピーダンス素子１ａ〜１ｊは、配置された領域内で発生している磁気を少なくともいずれかの磁気インピ−ダンス素子１ａ〜１ｊによって検出できるような間隔で配置されているとともに、前記複数個の感磁体１０ａ〜１０ｊは、同じ向きの磁気が検出されるように感磁体であるアモルファスワイヤの軸方向が略同じ方向に向けられた状態で配置され、前記複数個の磁気インピーダンス素子１ａ〜１ｊの出力端が集約されて前記信号処理回路３に接続されている磁気検出装置。【選択図】図８
2015124999.tif 000002
【特許請求の範囲】
【請求項１】
アモルファスワイヤから成る感磁体によって構成され、磁気を検出する複数個の磁気インピーダンス素子と、
前記複数個の磁気インピーダンス素子の前記複数個の感磁体に高周波またはパルス電流を印加する発振回路と、
前記磁気を検出することにより前記磁気インピーダンス素子から出力される出力信号を処理する信号処理回路とからなり、
前記複数個の磁気インピーダンス素子は、配置された領域内で発生している磁気を少なくともいずれかの磁気インピ−ダンス素子によって検出できるような間隔で配置されているとともに、前記複数個の感磁体は、同じ向きの磁気が検出されるように感磁体であるアモルファスワイヤの軸方向が略同じ方向に向けられた状態で配置され、
前記複数個の磁気インピーダンス素子の出力端が集約されて前記信号処理回路に接続されており、
前記複数個の磁気インピーダンス素子のうちの少なくともいずれかの磁気インピ−ダンス素子によって磁気が検出された場合には、出力される出力信号が前記信号処理回路によって処理されるように構成されている
ことを特徴とする磁気検出装置。
【請求項２】
請求項１において、
前記複数個の磁気インピーダンス素子が、同じ向きの磁気変化に対応する各磁気インピーダンス素子の出力信号が互いに加算されるように、各磁気インピーダンス素子の両出力端が電気的に直列接続されることにより、前記複数の磁気インピーダンス素子の複数の出力信号を集約して前記信号処理回路に入力されるように構成されている
ことを特徴とする磁気検出装置。
【請求項３】
請求項１において、
前記複数個の各磁気インピーダンス素子の一方の出力端が、抵抗器を介して前記信号処理回路の一方の入力端に接続され、前記各磁気インピーダンス素子の他方の出力端が、前記信号処理回路の前記他方の入力端に接続されることにより、前記複数個の磁気インピーダンス素子から得られる同じ向きの磁気変化に対応する複数の出力信号が、互いに加算されるように接続されることにより、前記複数の磁気インピーダンス素子の複数の出力信号を集約して前記信号処理回路に入力されるように構成されている
ことを特徴とする磁気検出装置。
【請求項４】
請求項２または請求項３において、
前記複数個の磁気インピーダンス素子の両出力端が、前記複数個の磁気インピーダンス素子を構成する前記感磁体の両端に接続されている
ことを特徴とする磁気検出装置。
【請求項５】
請求項２または請求項３において、
前記複数個の磁気インピーダンス素子の両出力端が、前記複数個の磁気インピーダンス素子を構成する前記感磁体の周囲に巻き回され、検出された磁気の強さに応じた電圧を出力する検出コイルの両端に接続されている
ことを特徴とする磁気検出装置。
【請求項６】
前記請求項１ないし請求項５のいずれかにおいて、
複数の被検査対象物を連続的に相対移動させる移動手段と、
前記移動手段によって連続的に相対移動して接近して通過する前記被検査対象物中に磁気を発生する磁性体が含まれているかどうかを、前記磁気検出装置の前記複数個の磁気インピーダンス素子によって磁気の変化を検出して、連続的に検査することにより、前記被検査対象物中に磁気を発生する磁性体が含まれているかどうか検査するように構成されている
ことを特徴とする磁性体有無検査装置。
【発明の詳細な説明】
【技術分野】
【０００１】
本発明は、食品または衣類等の商品の中に金属の小さな片または製品等の異物が混入していないかを検出したり、切符、カードおよび紙幣等の磁性パターンの検出に好適な磁気検出装置および磁性体有無検査装置に関するものである。
【背景技術】
【０００２】
食品または衣類等の商品の中に本来混入が許されない微小な金属片または金属製品等が何らかの理由で混入してしまうことが報告されている。従って、このような異物混入を精度良く検出できる磁気検出装置および磁性体有無検査装置の開発が望まれている。また、自動改札機やＡＴＭ、自動販売機等で投入された切符やカードおよび紙幣等の磁性パターンの検査を行う、より小型化した磁気検査装置および磁性体有無検査装置の提供も強く望まれている。
【０００３】
大量に生産される食品または衣類等の異物検査をしようとする場合、例えばコンベアー等で移動されてくる途中の被検査対象物に対して連続的に検査可能とする必要がある。この場合、コンベアーには一定の幅寸法があり、その間を複数個の被検査対象物が同時に通過していくような場合も考えられる。また、少量で１品ずつ検査したいような場合でも、被検査対象物の製品によっては大きなものも存在する。
【０００４】
一方、異物は、被検査対象物中のどの位置に混入しているかは一般的には分からない。従って、このような状況で異物を漏れなく検出しようとする場合、異物がどの位置に混入されていたとしても、漏れなく検出が可能となるようにしておく必要がある。
【０００５】
上記異物を検出するための従来の磁気検査装置としては、図１０および図１１に示されるように磁気の検知領域に配設されるアモルファスワイヤ等の感磁体Ｋと、当該感磁体Ｋにパルス電流を印加するパルス発振回路Ｐと、前記感磁体によって検出され出力される磁気の強さに応じて出力される信号を処理する信号処理回路Ｓとを備えた磁気インピーダンスセンサＭＩ（例えば特許文献１、非特許文献１参照）が用いられていた。
【先行技術文献】
【特許文献】
【０００６】
【特許文献１】ＷＯ２００３−０７１２９９号公報
【非特許文献】
【０００７】
【非特許文献１】トランジスタ技術２００３年１２月号１３８頁〜１４２頁
【発明の概要】
【発明が解決しようとする課題】
【０００８】
ところが、このような磁気検査で問題となる異物は、極めて微小な場合が多く、異物から発生する磁気は極めて弱い。従って、現在使用されている磁気センサの中で最も高感度と考えられる前記磁気インピーダンスセンサを用いたとしても、１つの磁気センサで例えば上述したコンベアーの幅寸法の全検査範囲をカバーして検査することは、困難であった。その結果、検査が必要な検査領域内全体を精度良く検査可能とするためには、多数の磁気インピーダンスセンサを用いることが必要であった。
【０００９】
また、別の用途として、切符やカードまたは紙幣の磁性パターンを検出して、自動改札機、ＡＴＭや自動販売機に投入された切符や紙幣のチェックを磁気センサで検出するという用途がある。この場合、自動改札機やＡＴＭ等の機械内を切符や紙幣が通過していく途中に磁気センサを配置して検査をすることになるが、機械内を検査対象となる切符や紙幣を自動かつ高速に移動させるため、通過する位置を完全に固定することは困難であり、磁気センサを配置した位置の近傍を切符や紙幣が通過する際に数mm程度のずれが生じる可能性があった。そのため、磁気センサの検出可能範囲が狭いと、必要な検査ができなくなる可能性があることから、通常、一定の幅寸法以上（例えば１cm程度）の領域全体が検出可能になるように磁気センサを配置する必要がある。この場合、磁気インピーダンスセンサは、非常に高感度であるものの、１つのセンサで検出可能な幅は、かなり狭いため、前記した異物検出の目的に用いる場合と同様に、複数の磁気インピーダンスセンサを配置することが不可欠であった。
【００１０】
しかしながら、上述した従来の前記磁気インピーダンスセンサは、アモルファスワイヤ等の感磁体にパルス電流を印加するパルス発振回路と磁気の強さに応じて出力される信号を処理する信号処理回路が必要なことから、多数の磁気インピーダンスセンサを配置しなければならない検査装置に、１つの磁気インピーダンスセンサ毎にパルス発振回路と信号処理回路を配置した検査装置を構成した場合、装置が大型化したり、製造コストが高額になるという問題があった。
【００１１】
本発明は、上述した課題を解決するために成されたものであり、異物の混入位置が全くわからない被検査対象物を検査したり、切符や紙幣のチェックを自動で行うような用途に用いる場合であって、多数の磁気インピーダンスセンサが必要となる場合であっても、小型かつ安価な装置で検査が可能な磁気検出装置および磁性体有無検査装置を提案可能とすることを目的とする。
【課題を解決するための手段】
【００１２】
そこで本発明者らは、様々な検討を行った結果、以下の構成により前記課題を解決できることを見出した。すなわち、まず検出対象領域内で発生している磁気を、少なくとも領域内に複数個配置されたいずれかの磁気インピ−ダンス素子によって検出できるような間隔で配置する。そして、前記複数個の磁気インピーダンス素子中の感磁体は、同じ向きの磁気が検出されるように感磁体であるアモルファスワイヤの軸方向が略同じ方向に向けられた状態で配置する。その結果、前記複数個の磁気インピーダンス素子の前記複数個の感磁体に対して、発振回路によって高周波またはパルス電流が印加されると、複数個の磁気インピーダンス素子の前記複数個の感磁体の少なくともいずれかによって検出目的の磁気を確実に検出することが出来る。さらに前記複数個の磁気インピーダンス素子の出力端は集約されて信号処理回路に接続する。その結果、配置された複数個の感磁体のうちのいずれかの感磁体が検出目的の磁気を検出できれば、その出力信号を処理することにより、複数個の磁気インピーダンス素子が配置された領域内のいずれかの位置で磁気が発生していることを確実に検出することが出来る。
【００１３】
そして、複数の被検査対象物を連続的に検査するために、前記被検査対象物を移動手段により相対移動させ、連続的に相対移動して接近して通過する前記被検査対象物中に磁気を発生する磁性体が含まれているかどうかを、検査する際に上記した磁気検出装置を適用して、連続的に検査すると、移動する前記被検査対象物中のどの位置に異物等の磁気を発生する磁性体が含まれていたとしても、確実にその磁性体の存在を把握できるという本発明に到達した。
【００１４】
以上の検討の結果得られた本発明（請求項１に記載の第１発明）の磁気検出装置は、
アモルファスワイヤから成る感磁体によって構成され、磁気を検出する複数個の磁気インピーダンス素子と、
前記複数個の磁気インピーダンス素子の前記複数個の感磁体に高周波またはパルス電流を印加する発振回路と、
前記磁気を検出することにより前記磁気インピーダンス素子から出力される出力信号を処理する信号処理回路とからなり、
前記複数個の磁気インピーダンス素子は、配置された領域内で発生している磁気を少なくともいずれかの磁気インピ−ダンス素子によって検出できるような間隔で配置されているとともに、前記複数個の感磁体は、同じ向きの磁気が検出されるように感磁体であるアモルファスワイヤの軸方向が略同じ方向に向けられた状態で配置され、
前記複数個の磁気インピーダンス素子の出力端が集約されて前記信号処理回路に接続されており、
前記複数個の磁気インピーダンス素子のうちの少なくともいずれかの磁気インピ−ダンス素子によって磁気が検出された場合には、出力される出力信号が前記信号処理回路によって処理されるように構成されているものである。
【００１５】
本発明（請求項２に記載の第２発明）の磁気検出装置は、
前記第１発明において、
前記複数個の磁気インピーダンス素子が、同じ向きの磁気変化に対応する各磁気インピーダンス素子の出力信号が互いに加算されるように、各磁気インピーダンス素子の両出力端が電気的に直列接続されることにより、前記複数の磁気インピーダンス素子の複数の出力信号を集約して前記信号処理回路に入力されるように構成されているものである。
【００１６】
本発明（請求項３に記載の第３発明）の磁気検出装置は、
前記第１発明において、
前記複数個の各磁気インピーダンス素子の一方の出力端が、抵抗器を介して前記信号処理回路の一方の入力端に接続され、前記各磁気インピーダンス素子の他方の出力端が、前記信号処理回路の前記他方の入力端に接続されることにより、前記複数個の磁気インピーダンス素子から得られる同じ向きの磁気変化に対応する複数の出力信号が、互いに加算されるように接続されることにより、前記複数の磁気インピーダンス素子の複数の出力信号を集約して前記信号処理回路に入力されるように構成されているものである。
【００１７】
本発明（請求項４に記載の第４発明）の磁気検出装置は、
前記第２発明または第３発明において、
前記複数個の磁気インピーダンス素子の両出力端が、前記複数個の磁気インピーダンス素子を構成する前記感磁体の両端に接続されているものである。
【００１８】
本発明（請求項５に記載の第５発明）の磁気検出装置は、
前記第２発明または第３発明において、
前記複数個の磁気インピーダンス素子の両出力端が、前記複数個の磁気インピーダンス素子を構成する前記感磁体の周囲に巻き回され、検出された磁気の強さに応じた電圧を出力する検出コイルの両端に接続されているものである。
【００１９】
本発明（請求項６に記載の第６発明）の磁性体有無検査装置は、
前記第１発明ないし第５発明のいずれかにおいて、
複数の被検査対象物を連続的に相対移動させる移動手段と、
前記移動手段によって連続的に相対移動して接近して通過する前記被検査対象物中に磁気を発生する磁性体が含まれているかどうかを、前記磁気検出装置の前記複数個の磁気インピーダンス素子によって磁気の変化を検出して、連続的に検査することにより、前記被検査対象物中に磁気を発生する磁性体が含まれているかどうか検査するように構成されているものである。
【発明の効果】
【００２０】
上記構成より成る第１発明の磁気検出装置は、配置された領域内で発生している磁気を少なくともいずれかの磁気インピ−ダンス素子によって検出できるような間隔で配置されているとともに、同じ向きの磁気が検出されるように感磁体であるアモルファスワイヤの軸方向が略同じ方向に向けられた状態で配置された複数個の磁気インピーダンス素子の前記複数個の感磁体に対して、発振回路によって高周波またはパルス電流が印加されると、複数個の磁気インピーダンス素子の前記複数個の感磁体の少なくともいずれかによって磁気が検出されると前記複数個の磁気インピーダンス素子の出力端が集約されて接続された信号処理回路によって、検出された少なくともいずれかの前記磁気インピーダンス素子から出力される出力信号を処理して、複数個の磁気インピーダンス素子が配置された領域内で発生している磁気を検出するので、従来の１つの磁気インピーダンス素子に１つの信号処理回路を準備して磁気検出装置を構成した場合と比較してより小型かつ安価な装置によって、検出対象領域内において発生している磁気の検出を可能にすることが出来るという効果を奏する。
【００２１】
上記構成より成る第２発明の磁気検出装置は、前記第１発明において、前記複数個の磁気インピーダンス素子が、各磁気インピーダンス素子の前記両出力端が電気的に直列接続されることにより、前記複数の磁気インピーダンス素子の複数の出力信号を集約して前記信号処理回路に入力されるので、前記領域内における同じ向きの磁気変化に対応する各磁気インピーダンス素子の出力信号が互いに加算されるため、最もシンプルな構成により、小型かつ安価な装置において、少なくともいずれかまたは複数の検出された磁気インピーダンス素子によって、前記領域内において発生している磁気の検出を可能にするとともに、かかる磁気検出装置の提供を可能にするという効果を奏する。
【００２２】
上記構成より成る第３発明の磁気検出装置は、前記第１発明において、前記複数個の各磁気インピーダンス素子の一方の出力端が、抵抗器を介して前記信号処理回路の一方の入力端に接続され、前記各磁気インピーダンス素子の他方の出力端が、前記信号処理回路の他方の入力端に接続されることにより、前記複数の磁気インピーダンス素子の複数の出力信号を集約して前記信号処理回路に入力されるので、前記領域内において配設された前記複数個の磁気インピーダンス素子から得られる同じ向きの磁気変化に対応する複数の出力信号が、互いに精確に加算されるため、シンプルな構成により、小型かつ安価な装置において、少なくともいずれかまたは複数の検出された磁気インピーダンス素子によって、前記領域内において発生している磁気の高感度な検出を可能にするとともに、かかる磁気検出装置の提供を可能にするという効果を奏する。
【００２３】
上記構成より成る第４発明の磁気検出装置は、前記第２発明または第３発明において、前記複数個の磁気インピーダンス素子の両出力端が、前記複数個の磁気インピーダンス素子を構成する前記感磁体の両端に接続されているので、前記複数個の磁気インピーダンス素子を構成する前記感磁体であるアモルファスワイヤから得られる同じ向きの磁気変化に対応する複数の出力信号が、互いに加算されるため、シンプルな構成により、小型かつ安価な装置において、少なくともいずれかまたは複数の検出された磁気インピーダンス素子によって、前記領域内において発生している磁気の検出を可能にするとともに、かかる磁気検出装置の提供を可能にするという効果を奏する。
【００２４】
上記構成より成る第５発明の磁気検出装置は、前記第２発明または第３発明において、前記複数個の磁気インピーダンス素子の両出力端が、前記複数個の磁気インピーダンス素子を構成する前記感磁体の周囲に巻き回され、検出された磁気の強さに応じた電圧を出力する検出コイルの両端に接続されているので、前記複数個の磁気インピーダンス素子を構成する前記感磁体であるアモルファスワイヤから得られる同じ向きの磁気変化に対応して検出された磁気の強さに応じた電圧を出力する複数の検出コイルの両端の出力信号が、互いに加算されるため、比較的シンプルな構成により、小型かつ安価な装置において、少なくともいずれかまたは複数の検出コイルによって、前記領域内において発生している磁気の高感度な検出を可能にするとともに、かかる磁気検出装置の提供を可能にするという効果を奏する。
【００２５】
上記構成より成る第６発明の磁性体有無検査装置は、前記第１発明ないし第５発明のいずれかにおいて、複数の被検査対象物を連続的に相対移動させる前記移動手段によって連続的に相対移動して接近して通過する前記被検査対象物中に磁気を発生する磁性体が含まれているかどうかを、前記磁気検出装置の前記複数個の磁気インピーダンス素子によって磁気の変化を検出して、連続的に検査することにより、移動する前記被検査対象物中のどの位置に異物等の磁気を発生する磁性体が含まれていたとしても、検査することを可能にするという効果を奏する。
【図面の簡単な説明】
【００２６】
【図１】本発明の第１実施形態の磁気検出装置の要部を示すブロック回路図である。
【図２】本発明の第１実施形態、第６実施形態および第１実施例の磁性体有無検査装置としての異物検査装置におけるベルトコンベアによって搬送される被検体としての梱包体に対する磁気検出を行う複数の磁気インピーダンス素子の配設態様を示す斜視図である。
【図３】本発明の第１実施形態、第６実施形態および第２実施例の磁気検査装置としての電子回路基板検査装置における被検体としての電子回路基板に対して磁気検出を行う複数の磁気インピーダンス素子の配設態様を示す斜視図である。
【図４】本発明の第２実施形態の磁気検出装置の要部を示すブロック回路図である。
【図５】本発明の第３実施形態の磁気検出装置の要部を示すブロック回路図である。
【図６】本発明の第４実施形態の磁気検出装置の要部を示すブロック回路図である。
【図７】本発明の第５実施形態の磁気検出装置の要部を示すブロック回路図である。
【図８】本発明の第１実施例の異物検査装置における磁気検出装置の詳細を示す詳細回路図である。
【図９】本発明の第２実施例の電子回路基板検査装置における磁気検出装置の詳細を示す詳細回路図である。
【図１０】従来の磁気インピーダンスセンサを示すブロック回路図である。
【図１１】従来の磁気インピーダンスセンサを示す詳細回路図である。
【発明を実施するための形態】
【００２７】
以下、本発明の最良の実施形態について、実施形態および実施例に基づき図面を用いて説明する。
【実施形態１】
【００２８】
本第１実施形態の磁気検出装置は、図１に示されるようにアモルファスワイヤからなる感磁体１０ａ〜１０ｎを用いた複数個の磁気インピーダンス素子１ａ〜１ｎから成る磁気インピーダンスセンサ１と、前記感磁体にパルス電流を印加するパルス発振回路２と、前記磁気インピーダンス素子１ａ〜１ｎが磁気を検出することにより得られた出力信号を処理する信号処理回路３とからなら成る。
【００２９】
前記複数個の磁気インピーダンス素子１ａ〜１ｎは、配置された領域内で発生している微小磁気をいずれかの磁気インピーダンス素子で検出できる間隔で配置されているとともに、すべての感磁体１０ａ〜１０ｎは同じ向きの磁気が測定されるように略同じ方向に感磁体であるアモルファスワイヤの軸方向が向けられた状態で配置されている。
【００３０】
磁気インピーダンス素子の間隔
配置された領域内で発生している微小磁気をいずれかの磁気インピーダンス素子で検出できる間隔で配置されている磁気インピーダンス素子の間隔は、図２（Ａ）に示されるように多数の被検査対象物４をベルトコンベアＢによって間隔をおいて移動させ、その途中において被検査対象物４中の異物Ｏを検出しようとする場合であれば、異物Ｏが混入した被検査対象物４がベルトコンベアＢの幅寸法におけるどの位置を通過しても、配置した複数の磁気インピーダンス素子１ａ〜１ｎのいずれかによって検知できるようにしておく必要がある。そのためには、隣り合う磁気インピーダンス素子１ａ〜１ｎの検知可能領域が、隙間を生ずることなく配置すれば良いが、一部が重なり合うように配置してもよい。但し、検知可能領域の重なる部分の長さ（割合）をあまり大きくすると、より多くの磁気インピーダンス素子が必要となるため、検出に問題とならない範囲で重なる長さを短めに調整することが望ましい。
【００３１】
この場合磁気インピーダンスセンサ１は、ベルトコンベアＢの移動方向である長手方向の途中の適当な位置に幅方向に少なくとも１列に適当個数の磁気インピーダンス素子を配置することになる。なお、磁気インピーダンス素子は少なくとも１列に配置するものであるが、複数列配置したり、千鳥配置するようにしても良い。
図２（Ａ）は、ベルトコンベアＢの幅方向の全範囲に亘る位置において搬送される可能性がある異物Ｏが混入されている被検査対象物４を複数個の磁気インピーダンス素子によって検出する場合の配設態様を示すもので、例えば４個の磁気インピーダンス素子の検知可能領域によって、ベルトコンベアＢの幅寸法（幅方向の全範囲）をカバー出来る場合においては、４個の検知可能領域の形状および大きさが同一の磁気インピーダンス素子１ａ〜１ｄを用いる場合は、幅方向に等間隔で配置すれば良いことになる。検知可能領域が上述と同一の磁気インピーダンス素子を用いる場合は、前記ベルトコンベアＢの幅方向の実寸法に応じて、用いられる磁気インピーダンス素子の数が変更されることになる。
【００３２】
また被検査対象物４がベルトコンベアＢの幅方向の一定位置に搬送されてくる場合においては、図２（Ｂ）に示されるように被検査対象物４のどの部位に異物が混入されていても異物が検出できるようにするために、前記被検査対象物４の幅方向の全範囲をカバーするように磁気インピーダンス素子の検知可能領域を考慮して配置された複数個の磁気インピーダンス素子１ａ〜１ｎのいずれかによって、その被検査対象物に混入された異物から発生している磁気が、検出可能となる間隔において、隣り合う磁気インピーダンス素子を必要数配置することになる。
【００３３】
この場合は磁気インピーダンスセンサ１は、ベルトコンベアＢの途中の適当な位置において、搬送されてくる前記被検査対象物４の幅方向の全範囲をカバーするように少なくとも１列に適当個数の磁気インピーダンス素子を配置することになる。図２（Ｂ）に示されるように、例えば３個の磁気インピーダンス素子１ａ〜１ｃの検知可能領域によって、前記被検査対象物４の幅寸法（幅方向の全範囲）をカバー出来る場合においては３個の検知可能領域の形状および大きさが同一の磁気インピーダンス素子１ａ〜１ｃを幅方向に等間隔で配置すれば良いことになる。検知可能領域が上述と同一の磁気インピーダンス素子を用いる場合は、前記被検査対象物４の幅方向の実寸法に応じて用いられる磁気インピーダンス素子の数が変更されることになる。
【００３４】
さらに、本第１実施形態の磁気検出装置を、検査したい位置に位置決めされて静止している被検査対象物４に対して一定距離の位置に至るまで複数の磁気インピーダンス素子を相対的に近づけて検査しようとする場合には、図３に示されるように前記被検査対象物４によって決まる所定の２次元の検査必要領域を複数の磁気インピーダンス素子の検知可能領域によってカバーできるように、複数列に例えば３列に夫々３個ずつ合計９個の磁気インピーダンス素子１ａ〜１ｉを碁盤目状に配置する必要があることになる。
【００３５】
感磁体の配設方向
全ての磁気インピーダンス素子１ａ〜１ｎを構成する感磁体１０ａ〜１０ｎは、４個の感磁体１０ａ〜１０ｄによって検査する場合を示す図２（Ａ）、３個の感磁体１０ａ〜１０ｃによって検査する場合を示す図２（Ｂ）および９個の感磁体１０ａ〜１０ｉによって検査する場合を示す図３に示されるように同じ向きの磁気が測定されるよう、略同じ方向に感磁体であるアモルファスワイヤの軸方向が平行に向けられた状態で配置されている。
すなわち、同じ方向に平行に配置されたどの磁気センサが異物を検出しても、異物が近づき遠ざかっていく際に同じ出力変化の検出履歴が得られることになる。また、同一の感度特性の隣り合う磁気センサが同時に同じ異物を検出した場合、ほぼ同じ出力変化のカーブが得られるため、出力を加算した場合に打ち消されることがなく、プラス加算されることになる。
【００３６】
前記パルス発振回路２は、図１に示されるように前記複数個の磁気インピーダンス素子１ａ〜１ｎ中の前記感磁体全てにパルス電流を印加できるよう接続され、前記複数の磁気インピーダンス素子１ａ〜１ｎの出力端子が一つに集約されて前記信号処理回路３の入力端子３１ａ、３１ｂに接続されている。
【００３７】
本第１実施形態において、前記パルス発振回路２は、図１に示されるように複数個の磁気インピーダンス素子１ａ〜１ｎを構成する前記感磁体全てにパルス電流を印加できるように接続されている。
【００３８】
前記信号処理回路３の入力端子３１ａおよび３１ｂは、図１に示されるように複数の磁気インピーダンス素子１ａ〜１ｎの両出力端が夫々一つに集約された集約端１ｏおよび１ｐに接続されている。
すなわち、１つ１つの磁気インピーダンス素子が磁気を検出することにより得た出力信号を全て１つの信号処理回路３に集約して出力するようにすることにより、磁気センサは、複数個でも信号処理回路は１個で済むので、装置の小型化およびローコストを図る上でメリットが有ることになる。
【００３９】
上記構成より成る第１実施形態の磁気検出装置は、必要に応じて複数の磁気インピーダンス素子１ａ〜１ｎを用いるものであるから、磁気インピーダンス素子を数多く使用しても、パルス発振回路２および信号処理回路３は、それぞれ１個のみ使用することにより、複数の磁気インピーダンス素子１ａ〜１ｎを備えた磁気検出部としての磁気インピーダンスセンサ１を備えた磁気検出装置を構成することが出来るので、小型かつ安価な装置によって、複数個の磁気インピーダンス素子１ａ〜１ｎが配置された領域内において発生している磁気の検出を可能にするとともに、かかる磁気検出装置の提供を可能にするという効果を奏する。
なお、本第１実施形態の特徴は、１つのパルス発振回路２および信号処理回路３を複数の磁気インピーダンス素子１ａ〜１ｎと接続することが特徴であるが、パルス発振回路２および信号処理回路３は１つの磁気検出装置に対し必ずしも１個でなくても良い。例えば、１０個の磁気インピーダンス素子のうち５個ずつの磁気インピーダンス素子を夫々１つの信号処理回路３およびパルス発振回路２に集約して接続することにより、２個ずつのパルス発振回路２および信号処理回路３を用いることも勿論可能である。
【実施形態２】
【００４０】
本第２実施形態の磁気検出装置は、前記第１実施形態において、図４に示されるように複数個の磁気インピーダンス素子１ａ〜１ｎ中の各アモルファスワイヤによって構成される感磁体１０ａ〜１０ｎが、同じ向きの磁気変化に対する１つ１つの素子の出力が互いに加算されるように電気的に直列接続され、さらに直列接続された感磁体１０ａ〜１０ｎの両端の端子１ｑ、１ｒが磁気検出部である磁気インピーダンスセンサ１の出力端子ｐ、ｑに接続され、前記複数の磁気インピーダンス素子１ａ〜１ｎの端子１ｑ、１ｒが前記出力端子ｐ、ｑを介して１つに集約されて前記信号処理回路３の入力端子３１ａ、３１ｂに接続されるように構成されているものである。
このとき、パルス発振回路２は、電流制限抵抗ｒを介して前記出力端子ｐ、ｑに接続されており、前記感磁体１０ａ〜１０ｎは、この出力端子ｐ、ｑを介してパルス発振回路２により、パルス電流が印加されるように構成されている。
【００４１】
上記構成より成る本第２実施形態の磁気検出装置において、前記パルス発振回路２によって、直列接続された感磁体１０ａ〜１０ｎは、パルス電圧が印加されているので、直列接続された感磁体１０ａ〜１０ｎの、同じ向きの磁気変化に対する１つ１つの磁気インピーダンス素子によって、複数個の磁気インピーダンス素子１ａ〜１ｎが配置された領域内において発生している磁気がそれぞれ検出され、その出力が互いに加算により集約されて前記信号処理回路３に出力される。
【００４２】
本第２実施形態の磁気検出装置は、複数個の磁気インピーダンス素子１ａ〜１ｎが配置された領域内において発生している磁気が検出され、前記複数の磁気インピーダンス素子の複数の出力信号を前記端子１ｑ、１ｒを介して１つに集約して前記入力端子３１ａ、３１ｂを介して前記信号処理回路３に入力されるので、前記領域内における同じ向きの磁気変化に対応する各磁気インピーダンス素子１ａ〜１ｎの出力信号が互いに加算されるため、最もシンプルな構成により、小型かつ安価な装置において、複数の磁気インピーダンス素子１ａ〜１ｎによって、前記領域内において発生している磁気の検出を可能にするとともに、かかる磁気検出装置の提供を可能にするという効果を奏する。
【実施形態３】
【００４３】
本第３実施形態の磁気検出装置は、前記第１実施形態において、図５に示されるようにパルス発振回路２が、各感磁体１０ａ〜１０ｎの一端と他端とに電流制限抵抗ｒａ〜ｒｎを介して接続され、前記複数個の磁気インピーダンス素子中の各アモルファスワイヤによって構成される感磁体１０ａ〜１０ｎは、その両端が１組の同じ検出信号出力端子ｐ、ｑに電気的に接続され、いずれか片方の端子が抵抗器Ｒａ〜Ｒｎを介して集約された集約端１ｏによって磁気検出部である磁気インピーダンスセンサ１の片方の検出信号出力端子ｐに接続され、もう片方の端子１ｐが前記とは別の片方の検出信号出力端子ｑに接続されることにより、全体として前記１つ１つのアモルファスワイヤから得られる出力が、同じ向きの磁気変化に対する出力を互いに加算されるように接続されることで、前記複数の磁気インピーダンス素子１ａ〜１ｎの出力を前記集約端１ｏおよび１ｐによって前記検出信号出力端子ｐ、ｑを介して１つに集約して前記信号処理回路３の入力端子３１ａ、３１ｂに接続されているものである。
【００４４】
上記構成より成る本第３実施形態の磁気検出装置においては、パルス発振回路２が、各感磁体１０ａ〜１０ｎに、パルス電流を印加しており、感磁体１０ａ〜１０ｎの両端の端子が１組の同じ検出信号出力端子ｐ、ｑに電気的に接続され、いずれか片方の端子が抵抗器Ｒａ〜Ｒｎを介して集約された集約端１ｏによって片方の前記検出信号出力端子ｐに接続され、もう片方の端子１ｐが前記とは別の片方の検出信号端子ｑに接続されることによって、前記領域内における同じ向きの磁気変化に対応する各磁気インピーダンス素子１ａ〜１ｎの出力信号が加算され、１つに集約して前記信号処理回路３の前記入力端子３１ａ、３１ｂに出力される。
【００４５】
本第３実施形態の磁気検出装置においては、感磁体１０ａ〜１０ｎの両端の端子が１組の同じ検出信号出力端子ｐ、ｑに電気的に接続され、いずれか片方の端子が抵抗器Ｒａ〜Ｒｎを介して前記集約端１ｏによって片方の前記検出信号出力端子ｐに接続され、もう片方の端子１ｐが前記とは別の片方の検出信号端子ｑに接続されることによって、前記領域内における同じ向きの磁気変化に対応する各磁気インピーダンス素子１ａ〜１ｎの出力信号が精確に加算され、１つに集約して前記入力端子３１ａ、３１ｂを介して前記信号処理回路３に入力されるので、シンプルな構成により、小型かつ安価な装置において、複数の磁気インピーダンス素子によって、前記領域内において発生している磁気の高感度な検出を可能にするとともに、かかる磁気検出装置の提供を可能にするという効果を奏する。
【実施形態４】
【００４６】
本第４実施形態の磁気検出装置は、前記第１実施形態において、図６に示されるようにパルス発振回路２が、各感磁体１０ａ〜１０ｎの一端と他端とに接続され、前記複数個の磁気インピーダンス素子１ａ〜１ｎ中のアモルファスワイヤによって構成される全ての感磁体１０ａ〜１０ｎの周囲には、検出された磁気の強さに応じた電圧を出力する検出コイル１１ａ〜１１ｎが巻き回されており、前記複数個の磁気インピーダンス素子中の前記各検出コイル１１ａ〜１１ｎが、同じ向きの磁気変化に対する１つ１つの素子の出力が、互いに加算されるように直列に接続され、直列に接続された前記複数の磁気インピーダンス素子１ａ〜１ｎの両端の端子１ｑ、１ｒおよび磁気検出部としての磁気インピーダンスセンサ１の出力端子ｐ、ｑを介して１つに集約して前記信号処理回路３の入力端子３１ａ、３１ｂに接続されているものである。
【００４７】
上記構成より成る本第４実施形態の磁気検出装置においては、パルス発振回路２が、各感磁体１０ａ〜１０ｎに、パルス電流を印加しており、前記複数個の磁気インピーダンス素子１ａ〜１ｎ中のアモルファスワイヤによって構成される全ての感磁体１０ａ〜１０ｎの周囲に巻き回された前記検出コイル１１ａ〜１１ｎが、検出された磁気の強さに応じた電圧を出力し、前記複数個の磁気インピーダンス素子中の前記各検出コイル１１ａ〜１１ｎが、同じ向きの磁気変化に対する１つ１つの素子の出力が互いに加算されるように直列に接続されているので、前記複数の磁気インピーダンス素子１ａ〜１ｎの出力が、直列に接続された磁気インピーダンス素子１ａ〜１ｎの前記両端の端子１ｑ、１ｒを介して１つに集約されて前記入力端子３１ａ、３１ｂを介して前記信号処理回路３に入力される。
【００４８】
本第４実施形態の磁気検出装置においては、前記複数個の磁気インピーダンス素子１ａ〜１ｎ中のアモルファスワイヤによって構成される全ての感磁体１０ａ〜１０ｎの周囲に巻き回された前記検出コイル１１ａ〜１１ｎが、検出された磁気の強さに応じた電圧を出力し、前記複数個の磁気インピーダンス素子中の直列に接続されている前記各検出コイル１１ａ〜１１ｎによって、同じ向きの磁気変化に対する１つ１つの素子の出力が互いに加算されるので、前記複数の磁気インピーダンス素子の出力が前記両端の端子１ｑ、１ｒを介して１つに集約されて前記信号処理回路３に出力されるため、シンプルな構成により、小型かつ安価な装置において、複数の検出コイル１１ａ〜１１ｎによって、前記領域内において発生している磁気の高感度な検出を可能にするとともに、かかる磁気検出装置の提供を可能にするという効果を奏する。
【実施形態５】
【００４９】
本第５実施形態の磁気検出装置は、前記第１実施形態において、図７に示されるようにパルス発振回路２が、各感磁体１０ａ〜１０ｎの一端と他端とに接続され、前記複数個の磁気インピーダンス素子１ａ〜１ｎ中のアモルファスワイヤによって構成される全ての感磁体１０ａ〜１０ｎの周囲には、検出された磁気の強さに応じた電圧を出力する検出コイル１１ａ〜１１ｎが巻き回されており、前記複数個の磁気インピーダンス素子中の前記各検出コイル１１ａ〜１１ｎは、その両端が１組の同じ検出信号出力端子ｐ、ｑに接続され、いずれか片方の検出コイル端は抵抗器Ｒａ〜Ｒｎを介して集約された集約端子１ｏによって磁気検出部としての磁気インピーダンスセンサ１の１組のうち一方の検出信号出力端子ｐに接続され、もう片方の検出コイル端が前記と別の片方の検出信号出力端子ｑに接続されるとともに、前記各検出コイル１１ａ〜１１ｎが、同じ向きの磁気変化に対する１つ１つの素子の出力が互いに加算されるように接続され、前記複数の磁気インピーダンス素子１ａ〜１ｎの出力を前記集約端１ｏおよび前記検出信号出力端子ｐ、ｑによって１つに集約して前記信号処理回路３の前記入力端子３１ａ、３１ｂに接続されているものである。
【００５０】
上記構成より成る本第５実施形態の磁気検出装置においては、パルス発振回路２が、各感磁体１０ａ〜１０ｎに、パルス電流を印加しており、前記複数個の磁気インピーダンス素子１ａ〜１ｎ中のアモルファスワイヤによって構成される全ての感磁体１０ａ〜１０ｎの周囲に巻き回された前記検出コイル１１ａ〜１１ｎが、検出された磁気の強さに応じた電圧を出力し、片方の検出コイル端は抵抗器Ｒａ〜Ｒｎを介して集約された集約端１ｏによって前記１組のうち一方の検出信号出力端子ｐに接続され、前記各検出コイル１１ａ〜１１ｎが、同じ向きの磁気変化に対する１つ１つの素子の出力が互いに加算されるので、前記各検出コイル１１ａ〜１１ｎの出力を前記集約端子１ｏによって１つに集約して検出信号出力端子ｐ、ｑを介して前記信号処理回路３に出力される。
【００５１】
本第５実施形態の磁気検出装置は、前記複数個の磁気インピーダンス素子１ａ〜１ｎ中のアモルファスワイヤによって構成される全ての感磁体１０ａ〜１０ｎの周囲に巻き回された前記検出コイル１１ａ〜１１ｎが、検出された磁気の強さに応じた電圧を出力し、片方の検出コイル端は抵抗器Ｒａ〜Ｒｎを介して集約された集約端１ｏによって前記１組のうち一方の検出信号出力端子ｐに接続され、前記各検出コイル１１ａ〜１１ｎが、同じ向きの磁気変化に対する１つ１つの素子の出力が互いに加算されるので、前記各検出コイル１１ａ〜１１ｎの出力を前記集約端子１ｏによって１つに集約して前記一方の検出信号出力端子ｐ、ｑを介して前記信号処理回路３に出力されるため、比較的シンプルな構成により、小型かつ安価な装置において、複数の検出コイルによって、前記領域内において発生している磁気の最も高感度な検出を可能にするとともに、かかる磁気検出装置の提供を可能にするという効果を奏する。
【実施形態６】
【００５２】
本第６実施形態の磁性体有無検査装置は、前記第１実施形態ないし第５実施形態のいずれかにおいて、図２（Ａ）、（Ｂ）に示されるように複数の被検査対象物４中に磁気を発生する磁性体の異物Ｏが含まれているかどうかを連続的に検査する磁性体有無検査装置であって、被検査対象物４を、前記磁気検出装置に対して相対移動させる移動手段Ｂを備え、前記被検査対象物４が、前記磁気検出装置に対して相対移動することにより、前記磁気検出装置が磁気の変化を検出することによって、被検査対象物４中に磁性体の異物Ｏが含まれているかどうかを検査するものである。
【００５３】
上記構成より成る本第６実施形態の磁性体有無検査装置は、前記移動手段Ｂによって前記被検査対象物４が、前記磁気検出装置に対して相対移動することにより、前記磁気検出装置の前記複数個の磁気インピーダンス素子１ａ〜１ｎ（図２（Ａ）においては１ａ〜１ｄ、図２（Ｂ）においては１ａ〜１ｃを夫々代表的に図示）のうちのいずれかの磁気インピーダンス素子が磁気の変化を検出することによって、複数個の磁気インピーダンス素子が配置された領域内に対応する前記被検査対象物４中に磁性体が含まれているかどうかを検査して、前記複数個の磁気インピーダンス素子の出力信号が信号処理回路３に出力される。
【００５４】
本第６実施形態の磁性体有無検査装置は、前記移動手段Ｂによって前記被検査対象物４が、前記磁気検出装置に対して相対移動することにより、前記磁気検出装置の前記複数個の磁気インピーダンス素子１ａ〜１ｎのうちのいずれかの磁気インピーダンス素子が磁気の変化を検出することによって、複数個の磁気インピーダンス素子が配置された領域内に対応する前記被検査対象物中に磁性体が含まれているかどうかを検査して、前記複数個の磁気インピーダンス素子の出力信号が前記信号処理回路３に出力されるので、小型かつ安価な装置において、複数個の磁気インピーダンス素子が配置された領域内に対応する前記被検査対象物４中に磁性体の異物Ｏが含まれているかどうかの精確な検査および効率の良い連続的な検査を可能にするとともに、かかる検査を可能にする磁性体有無検査装置の提供を可能にするという効果を奏する。
【００５５】
なお、本第６実施形態の磁性体有無検査装置においては、ベルトコンベア等の移動手段がなくても、図３に示されるように装置全体を手動または自動で被検査対象物４である回路基板に一定距離になるまで近づける等の方法によって、異物の有無を検出することが出来る。
しかし、複数個の被検査対象物を効率良く連続的に検査しようとする場合には、前記移動手段は必要となるのである。
【実施例１】
【００５６】
本第１実施例の磁性体有無検査装置は、図８に示されるようにアモルファスワイヤから成る感磁体１０ａ〜１０ｊによって構成され、磁気を検出する複数個の磁気インピーダンス素子１ａ〜１ｊから成る磁気インピーダンスセンサ１と、前記複数個の磁気インピーダンス素子１ａ〜１ｊの前記複数個の感磁体に高周波またはパルス電流を印加するパルス発振回路２と、前記磁気を検出することにより前記磁気インピーダンス素子１ａ〜１ｊから出力される出力信号を処理する信号処理回路３とからなり、前記複数個の磁気インピーダンス素子１ａ〜１ｊは、配置された領域内で発生している磁気を少なくともいずれかの磁気インピ−ダンス素子１ａ〜１ｊによって検出できるような間隔で配置されているとともに、前記複数個の感磁体１０ａ〜１０ｊは、同じ向きの磁気が検出されるように感磁体であるアモルファスワイヤの軸方向が略同じ方向に向けられた状態で配置され、前記複数個の磁気インピーダンス素子１ａ〜１ｊの夫々の両端が直列に接続されることにより、直列に接続された磁気インピーダンス素子１ａ〜１ｊの両端の端子１ｑ、１ｒを介して一対の出力端子１２ａ、１２ｂに集約されて前記信号処理回路３の入力端子３１ａ、３１ｂに接続されており、前記複数個の磁気インピーダンス素子１ａ〜１ｊのうちの少なくともいずれかの磁気インピ−ダンス素子１ａ〜１ｊによって磁気が検出された場合には、出力される出力信号が前記信号処理回路３によって処理されるように構成されている磁気検出装置を備えている。
【００５７】
本第１実施例の磁性体有無検査装置としての異物検査装置は、被検査対象物４としてのアパレル製品の梱包体中に含まれる微小鉄片のような異物の検査を行うもので、上述した第４実施形態に基づくものである。
【００５８】
本第１実施例の異物検査装置は、図２（Ａ）に示されるように鉄が自然界の磁気によって常に着磁されていることを利用して、アパレル製品の梱包体４中に含まれる鉄片すなわち異物ＯがベルトコンベアＢなどの移動手段による搬送により、前記複数個の磁気インピーダンス素子１ａ〜１ｊが配置されている位置を通過するときに生じる磁気変化を、高感度の磁気検出装置によって検出するものである。
但し、感度を高めるために、磁気インピーダンス素子が配置されている位置より前を通過する際に、着磁処理を行った後で検査するようにすることも出来る。
【００５９】
図２（Ａ）に示されるように被検査対象である前記梱包体４が移動する通路上に、前記梱包体４の幅よりも広いベルトコンベアＢの幅方向の全範囲を検出領域とするべく磁気インピーダンス素子を複数個配置されている。
【００６０】
すなわち本第１実施例装置においては、例えばアパレル製品の中に混入する０．５ｍｍ 長以上の鉄異物を検出することを目的としているものであり、３６０ｍｍ 幅のベルトコンベアＢの表面からの高さ４０ｍｍの位置に１０個の磁気インピーダンス素子をベルト幅方向に４０ｍｍ間隔で配置するものである。
【００６１】
前記梱包体４中に含まれる異物Ｏが、図２（Ａ）に示されるようにベルトコンベアＢによってセンサの磁気インピーダンス素子の検出領域を通過するとき、前記異物がセンサの磁気インピーダンス素子の直下に位置する時に出力が最大すなわち感度が最大になるが、異物がセンサ直下の位置から外れるほど感度が低下する。そこで一例として複数の磁気インピーダンス素子を配置する間隔を、隣り合う磁気インピーダンス素子のそれぞれの感度が一定値以上になる、例えば１／２、１／３、１／４、１／５のいずれかになる位置で重なり合うように配置する。磁気インピーダンス素子の検出領域と感度に基づいて、複数の磁気インピーダンス素子１ａ〜１ｊを配置する間隔を決定することにより、各磁気インピーダンス素子の信号を前述のごとく直列に接続することで加算して、異物が通路であるベルトコンベアＢの幅方向のどの位置を通過したとしてもほぼ均一の感度で検出することが出来るように設定されている。
【００６２】
図８に示されるように１０個の磁気インピーダンス素子１ａ〜１ｊを構成する感磁体１０ａ〜１０ｊの周囲には、検出された磁気の強さに応じた電圧を出力する検出コイル１１ａ〜１１ｊが巻き回されており、前記複数個の磁気インピーダンス素子中の前記各検出コイル１１ａ〜１１ｊが、同じ向きの磁気変化に対する１つ１つの素子の出力が互いに加算されるように直列に接続され、直列に接続された前記複数の磁気インピーダンス素子の両端の端子１ｑ、１ｒを介して、その出力を１つの前記出力端子１２ａ、１２ｂに集約して前記信号処理回路３の前記入力端子３１ａ、３１ｂに接続されているものである
【００６３】
すなわち１０個の前記検出コイル１１ａ〜１１ｊは、４個の磁気インピーダンス素子を代表的に図示した図８に示されるように、隣り合う検知コイルの一方の初段の検知コイル１１ａの巻き終わりｅに接続された端子と次段の検知コイル１１ｂの巻き始めｓに接続された端子が接続されることにより、互いに電気的に直列に接続されている。
【００６４】
初段の検出コイル１１ａの巻きはじめｓに接続された一方の端子１ｑと最後段の検出コイル１１ｊの巻き終わりｅに接続された他方の端子１ｒは、１０個の磁気インピーダンス素子の出力をひとつに集約する２個の検出信号出力端子１２ａ、１２ｂを介して前記信号処理回路３の入力端子３１ａ、３１ｂに接続されている。
【００６５】
図８に示されるように前記１０個の磁気インピーダンス素子１ａ〜１ｊを構成するアモルファスワイヤより成る感磁体１０ａ〜１０ｊは、それぞれ前記パルス発振回路２に接続され、パルス電流が印加されるように構成されている。
【００６６】
これらアモルファスワイヤより成る感磁体１０ａ〜１０ｊにパルス電流が流れるたびに、前記各検出コイル１１ａ〜１１ｊには、磁気インピーダンス素子が受ける磁場の大きさに対応する電圧の交流減衰振動電圧が生じる。
たとえば図２（Ａ）に示されるように前記梱包体４に鉄製の異物が混入しているとベルトコンベアＢの移動による異物の移動に伴い、各磁気インピーダンス素子１ａ〜１ｊがそれぞれ異物との距離に対応する大きさの交流減衰振動電圧を出力する。
【００６７】
そして図８に示されるように前記のごとく１０個の磁気インピーダンス素子１ａ〜１ｊの出力は、前記端子１ｑ、１ｒを介してひと組の出力端子１２ａおよび１２ｂに加算的に集約されているので、いずれの磁気インピーダンス素子１ａ〜１ｊの検出コイル１１ａ〜１１ｊに交流減衰振動電圧が生じても前記検出信号出力端子１２ａおよび１２ｂの間に、この信号が現れる。
【００６８】
上述した複数個の磁気インピーダンス素子１ａ〜１ｊを構成するアモルファスワイヤより成る複数個の感磁体１０ａ〜１０ｊと、該複数個の感磁体１０ａ〜１０ｊの回りに巻回された互いに直列に接続された複数個の検出コイル１１ａ〜１１ｊとによって磁気検出部としての磁気インピーダンスセンサ１が構成されている。
したがって、異物が、磁気インピーダンス素子１ａ〜１ｊを所定の間隔で１０個配置した領域すなわち前記ベルトコンベアＢの幅方向の全範囲におけるどの位置を通過しても、上記磁気インピーダンスセンサ１によって、検出が可能になるように構成されている。
【００６９】
前記パルス発振回路２は、図８に示されるようにロジックＩＣすなわち論理回路Ｉ１およびＩ２と該論理回路Ｉ１およびＩ２の各入出力端子間に接続された抵抗器ｒ１およびコンデンサＣ１とによって構成されるマルチバイブレータより成り、１ＭＨｚの周波数のパルスを発生する。前記パルス発振回路２のパルス出力は、前記１０個の磁気インピーダンス素子１ａ〜１ｊの各アモルファスワイヤより成る感磁体１０ａ〜１０ｊに対して、パルス電流として印加される。また同時にこのパルス出力は、後述する信号処理回路３の制御回路にも接続され、パルス電流が印加されるように構成されている。
【００７０】
前記信号処理回路３は、図８に示されるようにサンプルホールド回路３Ｓと制御回路３Ｃならびに差動増幅器３０から成る。
前記サンプルホールド回路３Ｓは、前記磁気検出部１の一方の前記検出信号出力端子１２ａに接続された一方の入力端子３１ａに接続されたアナログスイッチＡＳと、アナログスイッチＡＳの出力端子ＡＳＯと前記磁気検出部の他方の前記検出信号出力端子１２ｂに接続された他方の入力端子３１ｂとの間に接続されたホールドコンデンサＣｈから成り、前記検出信号出力端子１２ａおよび１２ｂから出力される交流減衰振動電圧を、所定のタイミングでサンプルホールドして、検出した磁場の大きさに対応する直流信号に変換するように設定されている。
【００７１】
前記制御回路３Ｃは、前記パルス発振回路２に接続されたコンデンサＣｔおよび抵抗器ＲｔならびにロジックＩＣすなわち論理回路Ｉｔから成り、所定のタイミングで前記アナログスイッチＡＳの開閉を、制御するものである。この開閉のタイミングは、前記パルス発振回路２によって印加されるパルス電流によって決定され、前記アモルファスワイヤより成る感磁体１０ａ〜１０ｊが印加されるパルス電流と同期関係にある。
【００７２】
差動アンプ（増幅器）３０は、前記ホールドコンデンサＣｈの二つの端子に接続され、前記サンプルホールドされた磁場の大きさに対応する直流信号電圧に対して所定の増幅が行われ、異物の大きさ、すなわち異物による磁場に対応して増幅された前記磁場の大きさに対応する直流信号電圧が出力され、前記梱包体４の中に混入した異物を検出して、検査ができるように構成されている。
【００７３】
上記構成より成る本第１実施例の異物検査装置においては、前記パルス発振回路２が、各感磁体１０ａ〜１０ｊに、パルス電流を印加しており、前記複数個の磁気インピーダンス素子１ａ〜１ｊ中のアモルファスワイヤによって構成される全ての感磁体１０ａ〜１０ｊの周囲に巻き回された前記検出コイル１１ａ〜１１ｊが、検出された磁気の強さに応じた電圧を出力し、前記複数個の磁気インピーダンス素子中の前記各検出コイル１１ａ〜１１ｊが、同じ向きの磁気変化に対する１つ１つの素子の出力が互いに加算されるように直列に接続されているので、直列に接続された前記複数の磁気インピーダンス素子１ａ〜１ｊの両端の端子１ｑ、１ｒを介して、出力が１つに集約して前記信号処理回路３に出力される。
【００７４】
すなわち前記梱包体４中に含まれる異物Ｏが、図２（Ａ）および（Ｂ）に示されるようにベルトコンベアＢによってセンサの磁気インピーダンス素子１ａ〜１ｊの検出領域を通過するとき、前記異物Ｏがセンサの磁気インピーダンス素子１ａ〜１ｊの直下に位置する時に出力が最大すなわち感度が最大になるが、異物がセンサ直下の位置から外れるほど感度が低下するので、前記異物を検知した磁気インピーダンス素子１ａ〜１ｊの前記各検出コイル１１ａ〜１１ｊのいずれかは、前記異物が接近してくると増加して直下の位置から離れていくと減少する出力信号を出力する。
【００７５】
そして前記のごとく図８に示されるように互いに直列に接続された１０個の磁気インピーダンス素子１ａ〜１ｊの前記各検出コイル１１ａ〜１１ｊの両端の端子１ｑ、１ｒを介して、その出力は１対の出力端子１２ａおよび１２ｂに加算的に集約されているので、いずれの磁気インピーダンス素子１ａ〜１ｊの検出コイル１１ａ〜１１ｊに交流減衰振動電圧が生じても磁気検出部としての磁気インピーダンスセンサ１の前記検出信号出力端子１２ａおよび１２ｂの間に、この信号が現れる。
【００７６】
前記信号処理回路３の前記サンプルホールド回路３Ｓは、図８に示されるように磁気検出部１の一方の前記検出信号出力端子１２ａに接続された前記一方の入力端子３１ａに接続されたアナログスイッチＡＳが、前記制御回路３Ｃから出力される前記アモルファスワイヤより成る感磁体１０ａ〜１０ｊに印加されるパルス電流と同期関係のパルス電流の制御信号が印加されることにより、コンデンサＣｔと抵抗器Ｒｔで決まる所定の時間オン状態になるため、該アナログスイッチＡＳの出力端子ＡＳＯと他方の入力端子３１ｂとの間に接続されたホールドコンデンサＣｈによって、前記磁気検出部１の前記検出信号出力端子１２ａおよび１２ｂから出力される交流減衰振動電圧が、サンプルホールドされて、検出した磁場の大きさに対応する直流信号に変換される。
【００７７】
前記ホールドコンデンサＣｈの二つの端子に接続された前記差動アンプ（増幅器）３０は、前記サンプルホールドされた磁場の大きさに対応する電圧に対して所定の増幅がされ、異物の大きさ、すなわち磁場に対応した増幅された電圧を出力することにより、前記梱包体４の中に混入した異物が検出され、異物検査が行われるのである。
【００７８】
上記作用を奏する第１実施例の異物検査装置は、必要に応じて複数の磁気インピーダンス素子１ａ〜１ｊを用いるものであるから、磁気インピーダンス素子を数多く使用しても、パルス発振回路２および信号処理回路３は、それぞれ１個のみ使用することにより、磁気検出装置を構成することが出来るので、小型かつ安価な装置によって、複数個の磁気インピーダンス素子が配置された領域内における異物によって発生している磁気の検出および異物の検査を可能にするとともに、かかる磁気検出装置および異物検査装置の提供を可能にするという効果を奏する。
【００７９】
また本第１実施例の異物検査装置は、前記複数個の磁気インピーダンス素子１ａ〜１ｊ中のアモルファスワイヤによって構成される全ての感磁体１０ａ〜１０ｊの周囲に巻き回された前記検出コイル１１ａ〜１１ｊによって、同じ向きの磁気変化に対する１つ１つの素子が受ける磁場の大きさに応じた交流減衰振動電圧が加算されるので、前記領域内において異物が通過するときに発生する磁気の高感度な検出を可能にするという効果を奏する。
【００８０】
また本第１実施例の異物検査装置は、異物がその中に含まれる前記梱包体４が、ベルトコンベアＢによってセンサの磁気インピーダンス素子１ａ〜１ｊの検出領域を通過するとき、前記パルス発振回路２が、各感磁体１０ａ〜１０ｊに、パルス電流を印加するので、各感磁体１０ａ〜１０ｊにパルス電流が流れた時に前記検出コイル１１ａ〜１１ｊに発生する異物通過に伴う外部磁界の強度変化に応じた電圧を、前記検出コイル１１ａ〜１１ｊが検知して出力するため、前記検出コイル１１ａ〜１１ｊのアモルファスワイヤの長さと検出コイルの巻数の最適設定により、一層の高感度な検出を実現するとともに、捲線内径の小径化により、小型薄型化を実現するという効果を奏する。
【００８１】
全ての感磁体１０ａ〜１０ｊは、図２（Ａ）および（Ｂ）に示されるように同じ向きの磁気が測定されるよう、略同じ方向に感磁体であるアモルファスワイヤの軸方向が向けられた状態で配置されているので、配置されたどの磁気センサが異物を検出しても、異物が近づき遠ざかっていく際に同じ出力変化の検出履歴が得られるとともに、隣り合う磁気インピーダンス素子１ａ〜１ｊが同時に同じ異物を検出した場合、ほぼ同じ出力変化のカーブが得られるため、出力を加算した場合に打ち消されることがなく、加算されるので、ベルトコンベアＢの幅のどの位置を異物Ｏが混入された被検査対象物４が通っても、感度のムラが生じにくい。
【００８２】
さらに本第１実施例の異物検査装置は、前記複数個の磁気インピーダンス素子１ａ〜１ｊ中のアモルファスワイヤによって構成される全ての感磁体１０ａ〜１０ｊの周囲に巻き回された前記検出コイル１１ａ〜１１ｊを電気的に互いに直列に接続するという簡単な配線により、同じ向きの磁気変化に対する前記複数の磁気インピーダンス素子１ａ〜１ｊの１つ１つが受ける磁場の大きさに応じた交流減衰振動電圧が互いに加算され、前記端子１ｑ、１ｒを介して一対の前記出力端子１２ａ、１２ｂに集約して前記入力端子３１ａ、３１ｂを介して前記信号処理回路３に出力されるため、いずれの磁気インピーダンス素子１ａ〜１ｊの検出コイル１１ａ〜１１ｊに交流減衰振動電圧が生じても前記磁気検出部としての磁気インピーダンスセンサ１の前記検出信号出力端子１２ａおよび１２ｂの間に、出力信号が現れるため、図８に示されるように異物Ｏが混入された被検査対象物４が、磁気インピーダンス素子１ａ〜１ｊを所定の間隔で複数個配置した領域すなわち前記ベルトコンベアＢの幅方向の全範囲におけるどの位置を通過しても、検出が可能になるとともに、前記異物を検出した検出コイル１１ａ〜１１ｊの数に応じた出力信号の出力も可能にするという効果を奏する。
【００８３】
また本第１実施例の異物検査装置は、一例として複数の磁気インピーダンス素子を配置する間隔を、隣り合う磁気インピーダンス素子のそれぞれの感度が一定値以上の、例えば１／２になる位置で重なるように配置した場合は、磁気インピーダンス素子の検出領域と一定値以上の感度領域に基づいて、複数の磁気インピーダンス素子を配置する間隔を決定して調整することにより、各磁気インピーダンス素子の信号を前述のごとく直列に接続することで加算して、異物が通路であるベルトコンベアＢの幅方向のどの位置を通過してもほぼ均一の感度で異物を確実に検出することが出来るという効果を奏する。
また本第１実施例において、前記磁気インピーダンス素子１ａ〜１ｊの感度が１／３または１／４または１／５になる位置で重なるように配置した場合は、前記１／２の場合に比べて感度は低下するが、磁気インピーダンス素子の数を減らして、コストダウンを可能にすることが出来る。
【００８４】
また本第１実施例の異物検査装置は、前記ベルトコンベアＢによって前記梱包体４が接近して通過する時に、互いに直列に接続された１０個の磁気インピーダンス素子１ａ〜１ｊの前記各検出コイル１１ａ〜１１ｊの両端の端子１ｑ、１ｒを介して、その出力はひとつの出力端子１２ａ、１２ｂに加算的に集約されているので、いずれの磁気インピーダンス素子１ａ〜１ｊの検出コイル１１ａ〜１１ｊに交流減衰振動電圧が生じても磁気検出部の前記検出信号出力端子１２ａおよび１２ｂの間に、交流減衰振動電圧が出力され、前記信号処理回路３の前記アナログスイッチＡＳがオン状態になると、前記ホールドコンデンサＣｈによって、前記磁気検出部としての磁気インピーダンスセンサ１の前記検出信号出力端子１２ａおよび１２ｂから出力される交流減衰振動電圧が、サンプルホールドされ、検出した磁場の大きさに対応する直流信号に変換され、前記差動アンプ（増幅器）３０により、前記磁場の大きさに対応する直流電圧に対して所定の増幅が行われ、異物の大きさ、すなわち磁場に対応した増幅された前記磁場信号電圧を出力することが可能になるため、前記梱包体４の中に混入した異物の大きさの判定を可能にするという効果を奏する。
【実施例２】
【００８５】
第２実施例の磁気ノイズ検査装置は、被検査対象物である矩形の電子回路基板から発する磁気ノイズを検出するものであり、図３に示されるように磁気インピーダンス素子１ａ〜１ｉを等間隔に縦３個、緯３個の合計９個を面的すなわち２次元領域をカバーするように手動または自動により接近させることにより配置して、前記被検査対象物である電子回路基板の矩形上面の全面積をカバーする範囲を検査領域とするものであり、上述した第１実施例との相違点を中心に説明して、同一部分については同一符号を付し詳細な説明を省略する。
【００８６】
第２実施例の磁気ノイズ検査装置における磁気検出部である磁気インピーダンスセンサ１は、図９に示されるように合計９個の磁気インピーダンス素子１ａ〜１ｉを構成するアモルファスワイヤによって構成される全ての感磁体１０ａ〜１０ｉの周囲に巻き回された前記検出コイル１１ａ〜１１ｉの各巻き始めｓに接続された端子に抵抗器Ｒａ〜Ｒｉを介して互いに接続することにより一つに集約して一方の検出信号出力端子１２ｃとするとともに、負帰還抵抗器Ｒｎｆを持つ加算増幅回路１３を構成するＯＰアンプ１３Ａの反転入力端子１３ｂに接続されている。
【００８７】
図９に示されるように前記各検出コイル１１ａ〜１１ｉのすべての巻き終わりｅの電極は、互いに接続してもう一方の検出信号出力端子１２ｄを介して前記加算増幅回路１３の非反転入力端子１３ｃに接続されている。
これによって複数個の磁気インピーダンス素子１ａ〜１ｉの出力がひとつに集約され、前記加算増幅回路１３の出力端子１２ａおよび１２ｂから上記第１実施例の前記信号処理回路３のサンプルホールド回路３Ｓと同一の構成より成る信号処理回路３のサンプルホールド回路（図９中図示せず）に入力端子３１ａおよび３１ｂを介して接続される。
【００８８】
したがって前記配置された９個の磁気インピーダンス素子１ａ〜１ｉのいずれかが磁気ノイズを検出すれば、その大きさに対応する交流減衰振動電圧が、前記サンプルホールド回路３Ｓによって、磁気ノイズすなわち磁気信号に対応した直流信号に変換されるように構成されている。
【００８９】
本第２実施例においては、前記信号処理回路３を構成する第１実施例の差動増幅器３０と同一の構成より成る差動増幅器（図９中図示せず）の出力すなわち信号処理回路３の出力端子３１ｃに対して、コンパレータ回路４０が接続されているので、磁気ノイズすなわち前記信号処理回路３の出力端子３１ｃから出力される出力信号が、基準電圧Ｅｓ以上の大きさの場合には、前記コンパレータ回路４０の出力端子４１に対して、発光して報知する発光ダイオードＤが抵抗４２を介して接続されている。
【００９０】
上記構成より成る第２実施例の磁気ノイズ検査装置における磁気検出部１は、図３に示されるように磁気インピーダンス素子１ａ〜１ｉを等間隔に縦３個、緯３個の合計９個を面的に配置して、前記被検査対象物である電子回路基板に対して接近させることにより、矩形上面の全面積をカバーする範囲を検査領域とするものであり、被検査対象物である矩形の前記電子回路基板から発する磁気ノイズを検出するものである。
【００９１】
前記磁気インピーダンス素子１ａ〜１ｉを構成するアモルファスワイヤによって構成される全ての感磁体１０ａ〜１０ｉの周囲に巻き回された前記検出コイル１１ａ〜１１ｉの各巻き始めｓに接続された端子に抵抗器Ｒａ〜Ｒｉを介して互いに接続することにより一つに集約して一方の検出信号出力端子１２ｃとするとともに、すべての巻き終わりｅの電極は、互いに接続してもう一方の検出信号出力端子１２ｄを介して前記加算増幅回路１３の非反転入力端子１３ｃに接続されているので、これによって複数個の磁気インピーダンス素子１ａ〜１ｉの前記検出コイル１１ａ〜１１ｉの検出出力が前記端子１２ｃ、１２ｄを介して一つに集約され、前記加算増幅回路１３を介して磁気検出部１の出力端子１２ａおよび１２ｂから前記信号処理回路３のサンプルホールド回路３Ｓに出力される。
【００９２】
したがって前記配置された９個の磁気インピーダンス素子１ａ〜１ｉのいずれかが磁気ノイズを検出すればその大きさに対応する交流減衰振動電圧が、前記サンプルホールド回路３Ｓによって、磁気ノイズすなわち磁気信号に対応した直流信号に変換される。
【００９３】
本第２実施例の磁気ノイズ検査装置は、前記信号処理回路３の前記差動増幅器の出力すなわち前記信号処理回路３の出力端子３１ｃに対して、コンパレータ回路４０が接続されているので、磁気ノイズすなわち前記信号処理回路３の出力端子３１ｃから出力される出力信号が、基準電圧Ｅｓ以上の大きさの場合には、前記コンパレータ回路４０の出力端子４１に対して前記抵抗４２を介して接続された前記発光ダイオードＤが、発光して報知するものである。
【００９４】
本第２実施例の磁気ノイズ検査装置は、前記複数個の磁気インピーダンス素子１ａ〜１ｉ中のアモルファスワイヤによって構成される全ての感磁体１０ａ〜１０ｉの周囲に巻き回された前記検出コイル１１ａ〜１１ｉが、検出された磁気の強さに応じた電圧を出力し、前記各検出コイル１１ａ〜１１ｉの一端は抵抗器Ｒａ〜Ｒｉを介して前記１組のうち一方の集約される検出信号出力端子１２ｃに接続され、前記各検出コイル１１ａ〜１１ｉが、同じ向きの磁気変化に対する１つ１つの素子の出力が互いに加算されるので、前記各検出コイル１１ａ〜１１ｉの出力を１つに集約して前記信号処理回路３に出力されるため、比較的シンプルな構成により、小型かつ安価な装置において、複数の検出コイルによって、前記領域内において発生している磁気の最も高感度な検出を可能にするとともに、かかる磁気ノイズ検査装置の提供を可能にするという効果を奏する。
【００９５】
また本第２実施例の磁気ノイズ検査装置は、前記複数個の磁気インピーダンス素子１ａ〜１ｉ中のアモルファスワイヤによって構成される全ての感磁体１０ａ〜１０ｉの周囲に巻き回された前記検出コイル１１ａ〜１１ｉが、検出された磁気の強さに応じた電圧を出力し、片方の検出コイル端は抵抗器Ｒａ〜Ｒｉを介して前記１組のうち一方の検出信号出力端子１２ｃに接続され、前記各検出コイル１１ａ〜１１ｉが、同じ向きの磁気変化に対する１つ１つの素子の出力が互いに加算されるものであるが、複数の磁気インピーダンス素子が互いに独立して抵抗を介して加算接続されるので、直列接続とは異なり出力インピーダンスが高くなることが無いので、浮遊容量の影響で減衰振動電圧が弱められることが無いことから、前記複数個の磁気インピーダンス素子１ａ〜１ｉの前記検出コイル１１ａ〜１１ｉが配置された前記領域内において発生している磁気の最も高感度な検出を可能にするという効果を奏する。
【００９６】
さらに本第２実施例の磁気ノイズ検査装置は、上述以外に前記第１実施例と同様の作用効果を奏するものである。
【００９７】
上述の実施形態および実施例は、説明のために例示したもので、本発明としてはそれらに限定されるものでは無く、特許請求の範囲、発明の詳細な説明および図面の記載から当業者が認識することが出来る本発明の技術的思想に反しない限り、変更および付加が可能である。
【００９８】
例えば、上述の第１実施例の異物検査装置においては、本第２実施例の磁気ノイズ検査装置における、信号処理回路３の前記差動増幅器３０の出力すなわち信号処理回路３の出力端子３１ｃに対して、コンパレータ回路４０が付加接続され、磁気ノイズすなわち前記信号処理回路３の出力端子３１から出力される出力信号が、基準電圧Ｅｓ以上の大きさの場合には、前記コンパレータ回路４０の出力端子に対して接続された前記発光ダイオードＤが、発光して報知する報知手段を用いない態様について説明したが、本発明としてはそれらに限定されるものでは無く、本第２実施例の磁気ノイズ検査装置と同様に報知手段を用いる態様を採用することが出来るとともに、異物の検査結果を検査時または必要に応じて常時表示する表示装置を採用することが出来るものである。
【００９９】
また上記第１実施例の異物検査装置においては、一例としてアパレル製品の梱包体４中に含まれる鉄片のような異物が混入する例について説明したが、本発明としてはそれらに限定されるものでは無く、鉄片のような異物が混入したパンのような食品の異物検査にも適用可能である。
【０１００】
上記第２実施例の磁気ノイズ検査装置においては、一例としては、被検査対象物として矩形の電子回路基板から発する磁気ノイズを検出して、検査する例について説明したが、本発明としてはそれらに限定されるものでは無く、磁気カード等の磁気パターンの読み取り、切符または紙幣の磁性パターン等の読み取りにも適用可能である。
【０１０１】
上述した実施形態および実施例において、前記パルス発振回路２は、複数個の磁気インピーダンス素子１ａ〜１ｎを構成する前記感磁体全てにパルス電流を印加できるように接続されている例について説明したが、本発明としてはそれらに限定されるものでは無く、１つのパルス発振回路によって、同時に全ての感磁体にパルス電流を印加するようにしても良いし、所定個数ずつ順番に時間すなわちタイミングを変えてパルス電流を分割して印加する態様も採用可能である。
【０１０２】
また上述した実施形態および実施例において、１つのパルス発振回路によって、同一の検知可能領域の複数の磁気インピーダンス素子、感磁体に対してパルス電流を印加するとともに、複数の磁気インピーダンス素子、感磁体の出力端を１つに集約して信号処理回路３に接続されるようにして、装置の小型化を可能とする実施形態および実施例について説明したが、本発明としてはそれらに限定されるものでは無く、異なる検知可能領域の複数の感磁体を採用して異なる間隔で配置する態様を採用可能であり、パルス発振回路２および信号処理回路３は、必ずしも１個に限定する必要はないが、１個とした方がより小型化およびローコストを図る上でメリットが有るということであり、集約において最も少ない場合は１個であるが、磁気インピーダンス素子の数より少ない数のパルス発振回路２および信号処理回路３に集約するものであれば良く、１つのパルス発振回路および信号処理回路にこだわる必要は無く、必要に応じて適宜２個以上の複数個のパルス発振回路および信号処理回路を用いることが出来る。
【０１０３】
上述した第１実施例においては、一例として、サンプルホールド回路のアナログスイッチの開閉のタイミングは、１個の前記パルス発振回路２によって、前記アモルファスワイヤより成る感磁体１０ａ〜１０ｊに印加されるパルス電流と同期関係にあるパルス電流によって印加されることにより決定される例について、説明したが、本発明としてはそれらに限定されるものでは無く、１個または２個の前記パルス発振回路２によって、前記アモルファスワイヤより成る感磁体１０ａ〜１０ｊに印加されるパルス電流に先立ちまたは少し遅れて前記サンプルホールド回路のアナログスイッチをオンにするような開閉のタイミングを採用することが出来る。
【産業上の利用可能性】
【０１０４】
磁気カードなどの磁気パターンの読み取り  紙幣の磁気パターンの検査にも適用可能である。
【符号の説明】
【０１０５】
１  磁気検出部
２  バルス発振回路
３  信号処理回路
１ａ〜１ｎ  磁気インピーダンス素子
１０ａ〜１０ｎ  感磁体
１１ａ〜１１ｎ  検出コイル
【図１】
2015124999.tif 000003
【図２】
2015124999.tif 000004
【図３】
2015124999.tif 000005
【図４】
2015124999.tif 000006
【図５】
2015124999.tif 000007
【図６】
2015124999.tif 000008
【図７】
2015124999.tif 000009
【図８】
2015124999.tif 000010
【図９】
2015124999.tif 000011
【図１０】
2015124999.tif 000012
【図１１】
2015124999.tif 000013